【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
共有無線周波数スペクトル帯域におけるいくつかのアクティブなダウンリンクキャリアのための複数の無線リソース管理(RRM)測定を実行するステップであって、アクティブなダウンリンクキャリアは、基地局によって実行される成功したリッスンビフォアトーク(LBT)手順と関連付けられ、前記複数のRRM測定を実行するステップは、いくつかのアクティブなダウンリンクキャリアで受信される複数の参照信号を測定するステップを含み、前記複数の参照信号は、複数の時間間隔にわたって可変の送信電力と関連付けられる、ステップと、
前記RRM測定の各々を前記複数の時間間隔のうちの１つに対応する測定時間の指示と関連付けるステップであって、前記RRM測定の１つに対応する値を調整するための前記測定時間の指示の各々は、前記複数の参照信号の前記複数の時間間隔にわたって前記可変の送信電力とに少なくとも部分的に基づく、関連付けるステップと、前記複数のRRM測定の組み合わせ含む報告と前記RRM測定の各々に関連付けられた前記測定時間の指示とを基地局に送信するステップと、
を備える、方法。
【請求項２】
前記RRM測定の各々をキャリアの指示と関連付けるステップと、
前記RRM測定の前記組み合わせを含む前記報告および前記測定時間の指示とともに、前記キャリアの指示を前記基地局に送信するステップとをさらに備える、請求項1に記載の方法。
【請求項３】
前記RRM測定の各々を前記測定時間の指示と関連付けるステップが、
前記RRM測定のうちの少なくとも1つを、それぞれの前記RRM測定が実行されるサブフレームに対応するサブフレーム番号と関連付けるステップを備える、請求項1に記載の方法。
【請求項４】
前記RRM測定の各々を前記測定時間の指示と関連付けるステップが、１つ以上の前記RRM測定を測定順序と関連付けるステップを備える、請求項１に記載の方法。
【請求項５】
前記RRM測定が、プロトコルスタックの物理レイヤにおいて実行され、前記測定時間の指示と関連付けられ、前記報告は、前記RRM測定の前記組み合わせを含み、前記測定時間の指示は、前記物理レイヤから前記基地局に送信される、フィルタリングおよび平均化が行われていない値を含む、請求項１に記載の方法。
【請求項６】
前記RRM測定の前記組み合わせを含む前記報告と、前記測定時間の指示とを送信するステップは、前記RRM測定の前記組み合わせを含む前記報告と、前記測定時間の指示とを、前記物理レイヤから前記物理レイヤよりも高い前記プロトコルスタックのレイヤに報告するステップ、および前記RRM測定の前記組み合わせを含む前記報告と、前記測定時間の指示とを、前記物理レイヤよりも高い前記プロトコルスタックの前記レイヤから前記基地局に報告するステップを含む、請求項５に記載の方法。
【請求項７】
ユーザ機器(UE)におけるワイヤレス通信のための装置であって、プロセッサと、プロセッサに結合されたメモリとを含み、
前記プロセッサは、
共有無線周波数スペクトル帯域におけるいくつかのアクティブなダウンリンクキャリアのための複数の無線リソース管理（RRM）測定を実行し、前記RRM測定の各々を前記複数の時間間隔のうちの１つに対応する測定時間の指示と関連付け、前記複数のRRM測定の組み合わせを含む報告と前記RRM測定の各々に関連付けられた測定時間の指示とを基地局に送信するように構成され、ここでアクティブなダウンリンクキャリアは、前記基地局によって実行される成功したリッスンビフォアトーク(LBT)手順と関連付けられ、前記複数のRRM測定を実行するステップは、前記いくつかのアクティブなダウンリンクキャリアで受信される複数の参照信号を測定するステップを含み、前記複数の参照信号は複数の時間間隔にわたる可変の送信電力に関連し、前記RRM測定の１つに対応する値を調整するための前記測定時間の各々は、前記複数の参照信号の前記複数の時間間隔にわたって前記可変の送信電力に少なくとも部分的に基づく、
装置。
【請求項８】
前記プロセッサは、
前記RRM測定の各々をキャリアの指示と関連付け、
前記RRM測定の前記組み合わせを含む前記報告および前記測定時間の指示とともに、前記キャリアの指示を前記基地局に送信するように構成される、
請求項７に記載の装置。
【請求項９】
前記RRM測定の各々を前記測定時間の指示と関連付けるように構成された前記プロセッサはさらに、前記RRM測定のうちの少なくとも1つを、それぞれの前記RRM測定が実行されるサブフレームに対応するサブフレーム番号と関連付けるように構成される、請求項７に記載の装置。
【請求項１０】
前記RRM測定の各々を前記測定時間の指示と関連付けるように構成された前記プロセッサはさらに、１つ以上の前記RRM測定を測定順序と関連付けるように構成される、請求項７に記載の装置。
【請求項１１】
前記RRM測定が、プロトコルスタックの物理レイヤにおいて実行され、前記測定時間の指示と関連付けられ、前記報告は、前記RRM測定の前記組み合わせを含み、前記測定時間の指示は、前記物理レイヤから前記基地局に送信される、フィルタリングおよび平均化が行われていない値を含む、請求項７に記載の装置。
【請求項１２】
前記RRM測定の前記組み合わせを含む前記報告と前記測定時間の指示を送信するように構成された前記プロセッサはさらに、前記RRM測定の前記組み合わせを含む前記報告と、前記測定時間の指示とを、前記物理レイヤから前記物理レイヤよりも高い前記プロトコルスタックのレイヤに報告し、前記RRM測定の前記組み合わせを含む前記報告と、前記測定時間の指示とを、前記物理レイヤよりも高い前記プロトコルスタックのレイヤから前記基地局に報告するように構成される、請求項１１に記載の装置。
【請求項１３】
ユーザ機器(UE)におけるワイヤレス通信のための方法であって、
共有無線周波数スペクトル帯域の中の共存するダウンリンクキャリアの指示を受信するステップであって、前記共存するダウンリンクキャリアの各々は異なるセル識別子と関連付けられ、前記共存するダウンリンクキャリアは合計送信電力の制約を共有する、受信するステップと、
前記共存するダウンリンクキャリアの前記指示に少なくとも部分的に基づいて、基地局によって実行される成功したリッスンビフォアトーク(LBT)手順と関連付けられた前記共存するダウンリンクキャリアのサブセットを識別するステップと、
前記成功したLBT手順と関連付けられた前記共存するダウンリンクキャリアの前記サブセットの前記共存するキャリアの各々について複数の無線リソース管理（RRM）測定を実行するステップと、
前記共存するダウンリンクキャリアの前記サブセットのための少なくとも１つのRRM測定についての組み合わされた値を取得するために、複数のRRM測定のうちの少なくとも１つのRRM測定について、前記受信した指示に少なくとも部分的に基づいて、前記共有無線周波数スペクトル帯域内の時間間隔にわたって前記共存するダウンリンクキャリアの前記サブセットのための少なくとも１つのRRM測定についての値を組み合わせるステップと、
少なくとも１つのRRM測定についての前記組み合わされた値に少なくとも部分的に基づいて、前記基地局に報告を送信するステップと、
を含む、方法。
【請求項１４】
前記組み合わせるステップは、前記時間間隔にわたって、前記共存するダウンリンクキャリアの前記サブセットの前記共存するダウンリンクキャリアの各々から少なくとも１つのRRM測定を加算または平均することの少なくとも１つを含む、請求項１３に記載の方法。
【請求項１５】
少なくとも１つのRRM測定のための前記組み合わされた値に少なくとも部分的に基づいて、RRMを実行するステップをさらに含む、請求項１３に記載の方法。
【請求項１６】
前記基地局と関連付けられた状態に留まるかを決定するステップ、または関連付けもしくはハンドオーバーのための基地局候補を特定するステップをさらに含む、請求項１５に記載の方法。
【請求項１７】
前記複数のRRM測定を実行するステップは、前記共存するダウンリンクキャリアの前記サブセットの前記共存するキャリアの各々で受信した参照信号の数を測定するステップを含み、前記参照信号の数は、合計送信電力の制約に関連し、前記合計送信電力の制約は、複数の時間間隔にわたる固定合計送信電力を含む、請求項１３に記載の方法。
【請求項１８】
前記RRM測定は、参照信号受信電力(RSRP)測定、参照信号受信品質(RSRQ)測定、参照信号強度インジケータ(RSSI)測定、またはこれらの組合せのうちの少なくとも1つを備える、請求項１３に記載の方法。
【請求項１９】
ユーザ機器(UE)におけるワイヤレス通信のための装置であって、プロセッサと、プロセッサに結合されたメモリとを含み、
前記プロセッサは、
共有無線周波数スペクトル帯域の中の共存するダウンリンクキャリアの指示を受信し、前記共存するダウンリンクキャリアの前記指示に少なくとも部分的に基づいて、基地局によって実行される成功したリッスンビフォアトーク(LBT)手順と関連付けられた前記共存するダウンリンクキャリアのサブセットを識別し、前記成功したLBT手順と関連付けられた前記共存するダウンリンクキャリアの前記サブセットの前記共存するキャリアの各々について複数の無線リソース管理（RRM）測定を実行し、前記共存するダウンリンクキャリアの前記サブセットのための少なくとも１つのRRM測定についての組み合わされた値を取得するために、前記複数のRRM測定のうちの少なくとも１つのRRM測定について、前記受信した指示に少なくとも部分的に基づいて、前記共有無線周波数スペクトル帯域内の時間間隔にわたって前記共存するダウンリンクキャリアの前記サブセットのための少なくとも１つのRRM測定についての値を組み合わせ、少なくとも１つのRRM測定についての前記組み合わされた値に少なくとも部分的に基づいて、前記基地局に報告を送信するように構成され、
前記共存するダウンリンクキャリアの各々は異なるセル識別子と関連付けられ、前記共存するダウンリンクキャリアは合計送信電力の制約を共有する、
装置。
【請求項２０】
前記少なくとも１つのRRM測定についての前記値を組み合わせるように構成された前記プロセッサは、前記時間間隔にわたって、前記共存するダウンリンクキャリアの前記サブセットの前記共存するダウンリンクキャリアの各々から少なくとも１つのRRM測定を少なくとも加算または平均するように構成される、請求項１９に記載の装置。
【請求項２１】
前記プロセッサは、少なくとも１つのRRM測定のための前記組み合わされた値に少なくとも部分的に基づいて、RRMを実行するようにさらに構成される、請求項１９に記載の装置。
【請求項２２】
前記プロセッサは、前記基地局と関連付けられた状態に留まるかを決定する、または関連付けもしくはハンドオーバーのための基地局候補を特定するようにさらに構成される、請求項１９に記載の装置。
【請求項２３】
前記複数のRRM測定を実行するように構成された前記プロセッサはさらに、前記共存するダウンリンクキャリアの前記サブセットの前記共存するキャリアの各々で受信した参照信号の数を測定するように構成され、前記参照信号の数は合計送信電力の制約に関連し、前記合計送信電力の制約は、複数の時間間隔にわたる固定合計送信電力を含む、請求項１９に記載の装置。
【請求項２４】
前記RRM測定が、参照信号受信電力(RSRP)測定、参照信号受信品質(RSRQ)測定、参照信号強度インジケータ(RSSI)測定、またはこれらの組合せのうちの少なくとも1つを備える、請求項１９に記載の装置。